【手続補正書】
【提出日】平成20年7月14日(2008.7.14)
【手続補正１】
【補正対象書類名】明細書
【補正対象項目名】発明の名称
【補正方法】変更
【補正の内容】
【発明の名称】印刷版材料の画像形成方法、印刷方法、印刷版材料およびインクジェット用インク
【手続補正２】
【補正対象書類名】明細書
【補正対象項目名】特許請求の範囲
【補正方法】変更
【補正の内容】
【特許請求の範囲】
【請求項１】  基材上に素材［Ａ］を含有する層［ａ］を有する印刷版材料の表面に、素材［Ａ］を溶解する素材［Ｂ］を含有する液体［ｂ］を画像様に付与して、その部分の素材［Ａ］の少なくとも一部を溶解し、次いで液体［ｂ］を付与しなかった部分の層［ａ］を除去することにより画像を形成することを特徴とする印刷版材料の画像形成方法。
【請求項２】  液体［ｂ］を付与した部分の表面が印刷インク受容性であり、層［ａ］を除去して現れる表面が印刷インク反撥性あるいは印刷インク反撥流体受容性であることを特徴とする請求項１に記載の印刷版材料の画像形成方法。
【請求項３】  液体［ｂ］を付与した部分の表面が印刷インク反撥性あるいは印刷インク反撥流体受容性であり、層［ａ］を除去して現れる表面が印刷インク受容性であることを特徴とする請求項１に記載の印刷版材料の画像形成方法。
【請求項４】  基材上に多孔質層と素材［Ａ］を含有する層［ａ］とをこの順に有した印刷版材料の表面に、素材［Ａ］を溶解する素材［Ｂ］を含有する液体［ｂ］を画像様に付与して、素材［Ａ］を溶解した液体［ｂ］を多孔質層に浸透させ、液体［ｂ］を乾燥させて多孔質層中に素材［Ａ］を析出させ、次いで液体［ｂ］を付与しなかった部分の層［ａ］を除去することにより画像を形成することを特徴とする印刷版材料の画像形成方法。
【請求項５】  多孔質層が印刷インク反撥性あるいは印刷インク反撥流体親和性であり、層［ａ］を除去して現れる表面が印刷インク受容性であることを特徴とする請求項４に記載の印刷版材料の画像形成方法。
【請求項６】  多孔質層が親水性であり、素材［Ａ］が実質的に水不溶であることを特徴とする請求項４または５に記載の印刷版材料の画像形成方法。
【請求項７】  素材［Ａ］が粒子状であることを特徴とする請求項１〜６のいずれか１項に記載の印刷版材料の画像形成方法。
【請求項８】  素材［Ａ］の平均粒径が０．０１〜１０μｍであることを特徴とする請求項７に記載の印刷版材料の画像形成方法。
【請求項９】  層［ａ］が更に水溶性素材を含有することを特徴とする請求項１〜８のいずれか１項に記載の印刷版材料の画像形成方法。
【請求項１０】  水溶性素材が糖類であることを特徴とする請求項９に記載の印刷版材料の画像形成方法。
【請求項１１】  層［ａ］の除去を水を用いて行うことを特徴とする請求項１〜１０のいずれか１項に記載の印刷版材料の画像形成方法。
【請求項１２】  層［ａ］の除去を水および／または印刷インクを用いて、印刷装置上で行うことを特徴とする請求項１〜１０のいずれか１項に記載の印刷版材料の画像形成方法。
【請求項１３】  液体［ｂ］を画像様に付与する工程を印刷装置上で行うことを特徴とする請求項１〜１２のいずれか１項に記載の印刷版材料の画像形成方法。
【請求項１４】  液体［ｂ］を画像様に付与する方式がインクジェット方式であることを特徴とする請求項１〜１３のいずれか１項に記載の印刷版材料の画像形成方法。
【請求項１５】  素材［Ｂ］が有機溶剤であることを特徴とする請求項１〜１４のいずれか１項に記載の印刷版材料の画像形成方法。
【請求項１６】  有機溶剤の少なくとも一部を回収することを特徴とする請求項１５に記載の印刷版材料の画像形成方法。
【請求項１７】  素材［Ａ］がセラック樹脂、有機溶剤がアルコールであることを特徴とする請求項１〜１６のいずれか１項に記載の印刷版材料の画像形成方法。
【請求項１８】  素材［Ａ］がスチレン、有機溶剤がｄ−リモネンであることを特徴とする請求項１〜１６のいずれか１項に記載の印刷版材料の画像形成方法。
【請求項１９】  液体［ｂ］が実質的に不揮発分を含まないことを特徴とする請求項１〜１８のいずれか１項に記載の印刷版材料の画像形成方法。
【請求項２０】  液体［ｂ］が着色剤を含むことを特徴とする請求項１〜１８のいずれか１項に記載の印刷版材料の画像形成方法。
【請求項２１】  液体［ｂ］が素材［Ａ］の溶解力が異なる二種類以上のインクセットからなることを特徴とする請求項１〜１８のいずれか１項に記載の印刷版材料の画像形成方法。
【請求項２２】  基材上に素材［Ａ］を含有する層［ａ］を有した印刷版材料の表面に、素材［Ａ］を溶解する素材［Ｂ］と着色剤とを含有する液体［ｂ］をインクジェット方式により画像様に付与し、次いで該印刷版材料を印刷インクを用いて印刷する印刷方法において、印刷インクに対して同一濃度としたときの色差で４以下である着色剤を用いることを特徴とする印刷方法。
【請求項２３】  請求項１〜３の画像形成方法に用いられるための印刷版材料。
【請求項２４】  請求項１〜３の画像形成方法に用いられるための印刷版材料であって、基材上に多孔質層を含有する事を特徴とする印刷版材料。
【請求項２５】  多孔質層が親水性であり、素材［Ａ］が実質的に水不溶であることを特徴とする請求項２３に記載の印刷版材料。
【請求項２６】  素材［Ａ］が粒子状であることを特徴とする請求項２３または請求項２４に記載の印刷版材料。
【請求項２７】  素材［Ａ］の平均粒径が０．０１〜１０μｍであることを特徴とする請求項２３〜２４のいずれか１項に記載の印刷版材料。
【請求項２８】  層［ａ］が更に水溶性素材を含有することを特徴とする請求項２３〜２６のいずれか１項に記載の印刷版材料の画像形成方法。
【請求項２９】  水溶性素材が糖類であることを特徴とする請求項２７に記載の印刷版材料。
【請求項３０】  請求項１〜３の画像形成方法に用いられるためのインクジェット用インク。
【請求項３１】  請求項１〜３の画像形成方法に用いられるためのインクジェット用インクであって、液体［ｂ］がアルコール溶剤であることを特徴とするインクジェット用インク。
【請求項３２】  前記アルコール溶剤がｄ−リモネンであることを特徴とする請求項３０に記載のインクジェット用インク。
【手続補正３】
【補正対象書類名】明細書
【補正対象項目名】００３４
【補正方法】変更
【補正の内容】
【００３４】
２２）基材上に素材［Ａ］を含有する層［ａ］を有した印刷版材料の表面に、素材［Ａ］を溶解する素材［Ｂ］と着色剤とを含有する液体［ｂ］をインクジェット方式により画像様に付与し、次いで該印刷版材料を印刷インクを用いて印刷する印刷方法において、印刷インクに対して同一濃度としたときの色差で４以下である着色剤を用いることを特徴とする印刷方法。
２３）  前記１）〜３）の画像形成方法に用いられるための印刷版材料。
２４）  前記１）〜３）の画像形成方法に用いられるための印刷版材料であって、基材上に多孔質層を含有する事を特徴とする印刷版材料。
２５）  多孔質層が親水性であり、素材［Ａ］が実質的に水不溶であることを特徴とする前記２３）に記載の印刷版材料。
２６）  素材［Ａ］が粒子状であることを特徴とする前記２３）または２４）に記載の印刷版材料。
２７）  素材［Ａ］の平均粒径が０．０１〜１０μｍであることを特徴とする前記２３）〜２４）のいずれか１項に記載の印刷版材料。
２８）  層［ａ］が更に水溶性素材を含有することを特徴とする前記２３）〜２６）のいずれか１項に記載の印刷版材料の画像形成方法。
２９）  水溶性素材が糖類であることを特徴とする前記２７）に記載の印刷版材料。
３０）  前記１〜３の画像形成方法に用いられるためのインクジェット用インク。
３１）  前記１〜３の画像形成方法に用いられるためのインクジェット用インクであって、液体［ｂ］がアルコール溶剤であることを特徴とするインクジェット用インク。
３２）  前記アルコール溶剤がｄ−リモネンであることを特徴とする前記３０）に記載のインクジェット用インク。